(57)【要約】      （修正有）【課題】簡便で細い草花が生けられると同時に剣山が安定して自由度高く使える剣山。【解決手段】筒形状の挿入部１−１、１−２，１−３と基台２とからなり、水挿入スペースを有する剣山１とした。更に筒形状の挿入部１−１、１−２，１−３と基台２とが脱着出来るものとした。同時に筒形状の挿入部１−１、１−２，１−３と基台２との間にスペース調整用支持棒を用いた剣山１にもできる。スペース調整用支持棒が針金などの可撓体であれば、容易に曲げたりできるために便利である。【選択図】図３
2012011194.tif 000002
【特許請求の範囲】
【請求項１】
筒形状の挿入部と基台とからなり、水挿入スペースを有する剣山
【請求項２】
筒形状の挿入部と基台とが、脱着できることを特徴とした、請求項１に記載の剣山
【請求項３】
請求項１に記載の水挿入スペースに関して、スペース調整用支持棒を用いて調整可能としたことを特徴とした請求項１また２に記載の剣山
【請求項４】
請求項３に記載のスペース調整用支持棒が可撓体であることを特徴とした請求項３に記載の剣山
【請求項５】
基台に窪みを有することを特徴とした請求項１，２，３，４に記載の剣山
【請求項６】
基台の上面を凹部にして、水を貯める形状にしたことを特徴とした請求項１，２，３，４，５に記載の剣山
【請求項７】
請求項１の筒形状の挿入部が、複数からなり、少なくとも１以上形状が異なる筒形状の挿入部を有していることを特徴とした請求項１，２，３，４，５，６に記載の剣山
【請求項８】
請求項１に記載の筒形状の挿入部あるいは基台が、銅や銅合金もしくは錫や錫合金からなる請求項１，２，３，４，５，６，７に記載の剣山
【発明の詳細な説明】
【技術分野】
【０００１】  本発明は主に茎の細い花を生ける為の剣山に関するものである。
【背景技術】
【０００２】  合成樹脂の剣山（特許文献１）や、あるいは草木を傷付けずに生ける剣山（特許文献２）など考案されている。【０００３】  また剣山の安定性のための工夫を凝らした剣山（特許文献３）なども提案されている。以上さまざまな剣山が提案されている
【先行技術文献】
【特許文献】
【０００４】
【特許文献１】特開２００９−１０６５７０号公報
【特許文献２】特開２００８−７３２４１号公報
【特許文献３】特開２００７−４４３６６号公報
【発明の概要】
【発明が解決しようとする課題】
【０００５】  しかしながら、なかなか、スムーズに花を安定して、立てることが難しく、また、バリエーションに応じて、つる性の草花や背の高い花々にも安定して対応できるような剣山がなかった。【０００６】  簡便で細い草花が生けられると同時に剣山が安定して自由度高く使える剣山が本発明の課題である。
【課題を解決するための手段】
【０００７】筒形状の挿入部と基台とからなり、水挿入スペースを有する剣山とした。【０００８】  更に前記筒形状の挿入部と基台とが脱着出来るものとした。【０００９】  前記機能に加えて、同時に筒形状の挿入部と基台との間にスペース調整用支持棒を用いた剣山にもできる。スペース調整用支持棒が針金などの可撓体であれば、容易に曲げたりできるために便利である。【００１０】  基台に草花支持用滑り止め凹部を有すると、草花が筒形状挿入部に入れたさいに、基台の凹部が滑り止めとなって、草花を生けやすい。また基台上部が凹形状となって、水などを貯める機構にすれば、それだけで、しばらく生花が水を吸うことができて便利である。【００１１】  基台もしくは、挿入部などが、銅製であると銅イオンの働きにより、水を腐らすことを防止できて、花が長持ちする。銅製に替えて、錫や錫合金にしても、同様の効果がある。【００１２】  花器の接する基台下部にゴムなどの可撓体を用いると花器などを傷つけることなく、本発明の剣山を置けるので、使いやすい。【００１３】  もちろん、筒形状の挿入部は図のような３つでなくてもよく、３つ以外の１つ以上複数によるものでも構わない。複数ある場合に、それぞれの長さや筒形状の穴の大きさを変えることは、生けるバリエーションが増えてよい。
【発明の効果】
【００１４】  筒形状の挿入部と基台とからなり、水挿入スペースを有する剣山とすると、筒形状下部が空間として、空いているために、ごみなどが溜まりにくい。また、生花を立花させるための位置決めを生花端部が見えていることにより、スムーズに行える。加えて、安定性のある基台があるために、生花によって、剣山が倒れる危険性が格段に少なくなる。【００１５】  筒形状の挿入部と基台とが脱着出来るものとすると、掃除しやすい。また、脱着することで、花器の形状にあった基台を選んで装着できるといった利点もある。もちろん、逆に基台にあった筒形状の挿入部を選ぶことができる。その選択は、機能的要件ばかりでなく、色彩やデザイン性といった広い選択枝で選ぶ楽しみが増す。従来、剣山はどちらかといえば、隠すものであって、見せるアイテムとして、扱われてこなかったが、本発明の剣山では、そのデザイン性だけでも、楽しめる。このような、従来にない新しい剣山のスタイルを提案することができるようになった。【００１６】  前記機能に加えて、同時に筒形状の挿入部と基台との間にスペース調整用支持棒を用いた剣山にもできる。スペース調整用支持棒が針金などの可撓体であれば、容易に曲げたりできるために便利である。【００１７】      基台に草花支持用滑り止め凹部を有すると、草花が筒形状挿入部に入れたさいに
基台の凹部が滑り止めとなって、草花を生けやすい。また基台上部が凹形状となって、水などを貯める機構にすれば、それだけで、しばらく生花が水を吸うことができて便利である。【００１８】  基台もしくは、挿入部などが、銅製であると銅イオンの働きにより、水を腐らすことを防止できて、花が長持ちする。銅製に替えて、錫や錫合金にしても、同様の効果がある。【００１９】  花器の接する基台下部にゴムなどの可撓体を用いると花器などを傷つけることなく、本発明の剣山を置けるので、使いやすい。【００２０】  もちろん、筒形状の挿入部は図のような３つでなくてもよく、３つ以外の１つ以上複数によるものでも構わない。複数ある場合に、それぞれの長さや筒形状の穴の大きさを変えることは、生けるバリエーションが増えてよい。
【図面の簡単な説明】
【００２１】
【図１】本発明の実施形態を示す斜視図である。
【図２】本発明の実施形態を示す説明斜視図である。
【図３】本発明の実施形態を示す説明斜視図である。
【図４】本発明の実施形態を示す説明正面図である。
【図５】本発明の実施形態を示す説明正面図である。
【図６】本発明の実施形態を示す説明斜視図である。
【図７】本発明の実施形態を示す説明縦中央端面図である。
【図８】本発明の実施形態を示す説明縦中央端面図である。
【発明を実施するための形態】
【実施例１】
【００２２】図１は説明図ある。筒形状の挿入部はパイプ状になっており、中空部は下部まで、貫通している。
材質は真鍮で作成したが、陶器やガラスを用いてもよい。図２のように草花を挿入して、草花の茎の切り口が基台の上部に接触して、位置決めされる。基台に８図のような窪みをつけておけば、草花の切り口である端部がその窪みで落とし込まれて、遊びが少なくなり、位置決めしやすく、形状が解かれにくい。また、図７のように基台の上面を凹部にして、水を貯める形状にしてもよい。
図３は筒形状の挿入部と基台との脱着のイメージを表したもので、理解を助けるためのものである。脱着の仕組みは螺子による螺状結合が適切であるが、特に限定はない。基台も特に限定はなく、十分に重量があって、草花が倒れる懸念のないものであればよい。水が達しやすくするように下部から上部に貫通穴などがあってもよい。水挿入スペースはないと水が草花に供給されないので、水が挿入できるスペースさえあればよい。
【実施例２】
【００２３】図４のように適宜高さを調整するためのスペース調整用支持棒を用いると自在に高さを決めることができる。図５のようにスペース調整用支持棒が可撓体であると角度を変えたり、目的に応じてさまざまな形状に撓めたり曲げたりすることができる。また、スペース調整用支持棒にかえて、さまざまな工夫を凝らした道具を剣山の上部と基台との間に仕組むことができるため、利便性が高い。
【符号の説明】
【００２４】１      剣山
１−１  筒形状の挿入部
１−２  筒形状の挿入部
１−３  筒形状の挿入部
２      基台
３      水挿入スペース
４      スペース調整用支持棒
５      水
【図１】
2012011194.tif 000003
【図２】
2012011194.tif 000004
【図３】
2012011194.tif 000005
【図４】
2012011194.tif 000006
【図５】
2012011194.tif 000007
【図６】
2012011194.tif 000008
【図７】
2012011194.tif 000009
【図８】
2012011194.tif 000010